(57)【要約】【課題】部材同士の接合作業が容易であると共に、部材同士の位置合わせの精度が高い接合構造を提供する。【解決手段】ウッドデッキ１０における接合構造１８は、根太１２と、根太１２にビス２０で固定された金具１４と、金具１４を介して根太１２に接合された板材１６を有する。金具１４は、基部１４ｂと、基部１４ｂから突出する突出部１４ｃを備える。突出部１４ｃは、先端部１４ｄが基部１４ｂと平行になるように途中で折れ曲がっている。板材１６は、切欠部１６ａを備える。板材１６は、金具１４が切欠部１６ａに収容された状態で、かつ先端部１４ｄと根太１２の間にその一部が挟まれた状態で根太１２に接合されている。切欠部１６ａが断面Ｌ字形状を有する孔１６ｓを備え、突出部１４ａが断面Ｌ字形状を有していて、板材１６が孔１６ｓにおいて、突出部１４ａとＬ字状に接触している。【選択図】図１
0003163723.tif 000002
【実用新案登録請求の範囲】
【請求項１】
支持部材と、前記支持部材に固定された介在部材と、前記介在部材を介して前記支持部材に接合された被支持部材とを有する、支持部材と被支持部材の接合構造であって、
前記介在部材は、基部と、前記基部から突出する突出部とを備え、
前記突出部は、先端部が前記基部と平行になるように途中で折れ曲がっており、
前記被支持部材は、切欠部を備え、
前記被支持部材は、前記介在部材が前記切欠部に収容された状態で、かつ前記先端部と前記支持部材の間にその一部が挟まれた状態で前記支持部材に接合されている接合構造。
【請求項２】
支持部材と、前記支持部材に固定された介在部材と、前記介在部材を介して前記支持部材に接合された被支持部材とを有する、支持部材と被支持部材の接合構造であって、
前記介在部材は、基部と、前記基部から突出する突出部とを備え、
前記突出部は、先端部が前記基部と平行になるように途中で折れ曲がっており、
前記被支持部材は、切欠部を備え、
前記被支持部材は、前記突出部が前記切欠部に収容された状態で、かつ前記先端部と前記基部の間にその一部が挟まれた状態で前記支持部材に接合されている接合構造。
【請求項３】
前記切欠部は、断面Ｌ字形状を有する孔を備え、
前記突出部は、断面Ｌ字形状を有し、
前記被支持部材は、前記孔において、前記突出部とＬ字状に接触している請求項１または２に記載の接合構造。
【考案の詳細な説明】
【技術分野】
【０００１】
本考案は、部材同士を接合するのに適した接合構造に関し、より詳しくは、例えばウッドデッキを建設する際、根太と板材を接合する接合構造に関するものである。
【背景技術】
【０００２】
従来、ウッドデッキを建設する際、根太の上に板材を置き、板材の上からビスを打ち込んでビスの先を根太に到達させることによって、根太と板材を接合していた。しかしながら、板材として硬い木材を使用する場合、上記のような接合方法では、接合作業に時間と労力を要する上、根太と板材の位置合わせの精度が高くはなかった。
【考案の概要】
【考案が解決しようとする課題】
【０００３】
本考案はこのような事情に鑑みてなされたものであり、部材同士の接合作業が容易であると共に、部材同士の位置合わせの精度が高い接合構造を提供することを目的とする。
【課題を解決するための手段】
【０００４】
本考案の連結構造は、支持部材と、支持部材に固定された介在部材と、介在部材を介して支持部材に接合された被支持部材とを有する、支持部材と被支持部材の接合構造であって、介在部材は、基部と、基部から突出する突出部とを備え、突出部は、先端部が基部と平行になるように途中で折れ曲がっており、被支持部材は、切欠部を備え、被支持部材は、介在部材が切欠部に収容された状態で、かつ先端部と支持部材の間にその一部が挟まれた状態で支持部材に接合されている。
【０００５】
本考案の他の連結構造は、支持部材と、支持部材に固定された介在部材と、介在部材を介して支持部材に接合された被支持部材とを有する、支持部材と被支持部材の接合構造であって、介在部材は、基部と、基部から突出する突出部とを備え、突出部は、先端部が基部と平行になるように途中で折れ曲がっており、被支持部材は、切欠部を備え、被支持部材は、突出部が切欠部に収容された状態で、かつ先端部と基部の間にその一部が挟まれた状態で支持部材に接合されている。
【０００６】
本考案の連結構造において、切欠部は、断面Ｌ字形状を有する孔を備え、突出部は、断面Ｌ字形状を有し、被支持部材は、孔において、突出部とＬ字状に接触していてもよい。
【考案の効果】
【０００７】
本考案の接合構造によれば、部材同士の接合作業が容易であると共に、部材同士の位置合わせの精度が高い。
【図面の簡単な説明】
【０００８】
【図１】本考案の接合構造を含むウッドデッキの断面図である。
【図２】本考案の接合構造を含むウッドデッキの組立工程を説明するための断面図である。
【図３】本考案の接合構造を含むフェンスの断面図である。
【図４】本考案の接合構造を含む他のフェンスの断面図である。
【図５】本考案の接合構造に用いる金具の外観図である。
【考案を実施するための形態】
【０００９】
以下、本考案の接合構造について、この接合構造を有するウッドデッキおよびフェンスの実施形態に基づいて説明する。なお、図面は接合構造、ウッドデッキ、フェンス、およびこれらの部品等を模式的に表したものであり、これらの実際の寸法および寸法比は、図面上の寸法および寸法比と必ずしも一致していない。また、重複説明は適宜省略し、同一部材には同一符号を付与することがある。
【００１０】
（第１実施形態：ウッドデッキ）
図１は、第１実施形態のウッドデッキ１０の断面図である。ウッドデッキ１０は、支持部材である根太１２と、介在部材である金具１４と、被支持部材である板材１６と備え、板材１６が根太１２に接合された接合構造１８を有する。
【００１１】
根太１２は、直方体形状を有する樹脂材で、ウッドデッキ用の支持台（不図示）に横たわって設置されている。第１実施形態では、根太１２が直方体形状を有する樹脂材であるが、根太１２が六角柱等の他の多角柱の形状を有していてもよく、また、木材または木材が添加された樹脂材等であってもよい。
【００１２】
金具１４は、長方形または正方形の金属製の板状部材を加工して作製される。金具１４には中心付近に孔１４ａが２つ設けられており、根太１２の上に金具１４を置き、孔１４ａからビス２０を根太１２に差し込んで、金具１４を根太１２に固定する。また、金具１４は、板形状部分の基部１４ｂと、基部１４ｂから突出した２つの突出部１４ｃとを備える。突出部１４ｃは、先端部１４ｄが基部１４ｂと平行になるように途中で折れ曲がっている。
【００１３】
なお、突出部の数は、１つでもあっても、３つ以上であってもよい。また、介在部材は、金具に代えて、樹脂製、セラミックス製、または木製等の部材であってもよい。また、金具に設けられた孔の数は、１つでもあっても、３つ以上であってもよい。また、金具の形状は、三角形や六角形等の多角形、円形、または楕円形等であってもよい。
【００１４】
板材１６は、金具１４を介して根太１２に接合される。また、板材１６は、切欠部１６ａを備える。切欠部１６ａは、金具１４が収容できるような形状を有している。板材１６としては、樹脂材、木材、または木材が添加された樹脂材等が挙げられる。この中でも、樹脂材や木材が添加された樹脂材が好ましい。成形によって板材が製造でき、複雑な形状を有する切欠部１６ａを形成するのが比較的容易だからである。また、板材１６は、表面に凹凸形状や波形状等を有してもよいし、木目模様を有していてもよい。
【００１５】
また、板材１６は、凹部１６ｐ，１６ｑを備え、凹部１６ｐは隣接する一方の板材２２の凹部２２ａに連結部材２４を介して連結され、凹部１６ｑは隣接する他方の板材２６の凹部２６ａに連結部材２８を介して連結されている。このため、板材１６と板材２２，および板材１６と板材２６の間隔を一定にすることが簡易にできる。また、板材１６と板材２２、および板材１６と板材２６が連結部材２４，２８で固定されているため、板材１６，２２，２６がずれるのを抑えられる。
【００１６】
なお、連結部材２４，２８は、板材１６，２２，２６と同じ素材であってもよいし、金属やセラミックス等の異なる素材であってもよい。連結部材２４，２８が板材１６，２２，２６と同じ素材である場合、板材１６と、連結部材２４および連結部材２８の少なくとも一方とを、一体に構成してもよい。
【００１７】
接合構造１８では、板材１６は、金具１４が切欠部１６ａに収容された状態で、かつ先端部１４ｄと根太１２の間に板材１６の一部が挟まれた状態で根太１２に接合される。このような構造により板材１６が根太１２に接合されるので、板材１６を根太１２に強く固定することができる。
【００１８】
また、第１実施形態では、切欠部１６ａが断面Ｌ字形状を有する孔１６ｓを備え、突出部１４ｃが断面Ｌ字形状を有している。そして、板材１６が孔１６ｓにおいて、突出部１４ｃとＬ字状に接触している。このため、板材１６の水平方向の位置合わせ精度を高くすることができる。ここで、Ｌ字形状およびＬ字状には、形状がＬ字と完全に一致するものばかりではなく、孔１６ｓや突出部１４ｃの曲がり角度が９０°や約９０°であるものも含まれる。
【００１９】
図２は、第１実施形態のウッドデッキ１０の組立工程を説明するための断面図である。ウッドデッキ１０は以下の工程で組み立てる。まず、図２（ａ）に示すように、ビス２０を用いて根太１２に金具１４を固定する。そして、図２（ｂ）に示すように、切欠部１６ａが金具１４を収容するように、かつ突出部１４ｃが孔１６ｓに入るように、根太１２の上に板材１６を設置する。
【００２０】
ついで、板材１６を水平方向（図２（ｂ）の矢印方向）に移動して、先端部１４ｄと根太１２の間に板材１６の一部を挟み込む。板材１６を水平方向に移動する際、先立って根太１２に接合されている板材２６から突出した連結部材２８に凹部１６ｑをはめ込むようにする。その後、同様にして板材２２を根太１２に接合すると、図１に示すようなウッドデッキ１０が組み立てられる。
【００２１】
なお、ウッドデッキ１０の見栄えをよくするため、ウッドデッキ１０の両端に配置する板材の一方の端面（ウッドデッキ１０の外側面となる端面）には凹部を形成しない。また、根太１２に最後に接合する板材は、例えば、根太１２にビス止めする等の一般的な固定手段を用いて、根太１２に固定する。根太１２に最後に接合される板材は、後から接合される板材と連結部材によって固定されることがないからである。
【００２２】
（第２実施形態：フェンス）
図３は、第２実施形態のフェンス４０の断面図である。フェンス４０は、支持部材である柱４２と、介在部材である金具１４と、被支持部材である板材４６と備え、板材４６が根柱４２に接合された接合構造４８を有する。
【００２３】
柱４２は、直方体形状を有する樹脂材で、地面と垂直に設置されている。第２実施形態では、柱４２が直方体形状を有する樹脂材であるが、柱４２が六角柱等の他の多角柱の形状を有していてもよく、また、木材、木材が添加された樹脂材、またはアルミ形材等であってもよい。
【００２４】
板材４６は、凹部４６ｐと凸部４６ｑを備え、凹部４６ｐは直下に配置された板材５２の凸部５２ｑにはめ込まれている。また、直上に配置された板材５６の凹部５６ｐは、凸部４６ｑにはめ込まれている。このため、板材４６と板材５２、および板材４６と板材５６の間隔を一定にすることが簡易にできる。なお、第２実施形態では凸部４６ｑは板材４６と一体で形成されているが、凸部４６ｑが板材４６と別部材で構成されていてもよい。凸部５２ｑについても同様である。
【００２５】
金具１４の構造やフェンス４０の組み立て方法は、ウッドデッキ１０の場合と同様である。なお、ウッドデッキ１０では、根太１２に最後に接合する板材は、例えば、根太１２にビス止めする等の一般的な固定手段を用いて根太１２に固定したが、フェンス４０では、自重によって板材が上方に動きにくいので、フェンス４０の最も上に設置される板材を一般的な固定手段を用いて柱４２に固定しなくてもよい。
【００２６】
（第３実施形態：フェンス）
図４は、第３実施形態のフェンス６０の断面図である。フェンス６０は、ブロック塀等の既存の塀の表面に板材を設けたものである。フェンス６０は、支持部材である塀６２と、介在部材である金具６４と、被支持部材である板材６６と備え、板材６６が塀６２に接合された接合構造６８を有する。
【００２７】
図５は、金具６４の外観図である。図５（ａ）は正面図を、図５（ｂ）は断面図を示している。金具６４は、板状部材に切り込みが入れられた後、この切り込みが入れられた部分が折り曲げられて突出部６４ａ，６４ｂ，６４ｃ，６４ｄが形成されている。このような簡易な製法によれば、金具６４の製造コストを抑えることができる。
【００２８】
フェンス６０は以下の工程によって組み立てることができる。まず、鉛直方向に連続して金具６４が並んだ列が複数列できるように、塀６２に金具６４を固定する。固定は、例えば、金具６４の孔６４ｅ，６４ｆからビス止めすることによって行う。
【００２９】
つぎに、ウッドデッキ１０やフェンス４０の組み立てと同様にして、板材６６を金具６４にはめ込み、板材６６を下方に移動する。このようにして金具６４に板材６６を装着すると、板材６６は、突出部６４ａが切欠部６６ａに収容された状態で、かつ先端部６４ｇと基部６４ｈの間にその一部が挟まれた状態で塀６２に接合される。
【符号の説明】
【００３０】
１０    ウッドデッキ
１２    根太
１４    金具
１４ａ  孔
１４ｂ  基部
１４ｃ  突出部
１４ｄ  先端部
１６，２２，２６  板材
１６ａ  切欠部
１６ｐ，１６ｑ  凹部
１６ｓ  孔
１８    接合構造
２０    ビス
２４，２８  連結部材
４０    フェンス
４２    柱
４６，５２，５６    板材
４６ｐ，５６ｐ  凹部
４６ｑ，５６ｑ  凸部
４８    接合構造
６０    フェンス
６２    塀
６４    金具
６４ａ，６４ｂ，６４ｃ，６４ｄ  突出部
６４ｅ，６４ｆ  孔
６６    板材
６６ａ  切欠部
６８    接合構造
【図１】
0003163723.tif 000003
【図２】
0003163723.tif 000004
【図３】
0003163723.tif 000005
【図４】
0003163723.tif 000006
【図５】
0003163723.tif 000007